(57)【要約】【課題】工具を一切使用することなく、根太材に対してデッキ材を極めて簡単に、かつ、十分な強度をもって固定することができるデッキ材固定具を提供する。【解決手段】本体２と、フラップ３と、二つの側部４とによって構成され、フラップ３は、本体２の両側面から、本体２の長手方向と直交する方向へ向かってそれぞれ突出するように形成され、側部４は、本体２の両端部の下側であって、本体２の中央底部２ａよりも低い位置にそれぞれ一つずつ形成されるとともに、相互に対向する各内側面４４が、本体２の長手方向に対して所定の角度をもって延在し、かつ、上半部４１に、本体２の長手方向と直交する方向に延在する上内側面４５が形成され、かつ、下半部４２に、上半部４１の上内側面４５よりも内側へ突出する係合部４６が形成されている。【選択図】図１
2014055424.tif 000002
【特許請求の範囲】
【請求項１】
最上部において上フランジが左右の外側方向へそれぞれ一定の幅で突出するように形成された根太材と、側面において長手方向へ連続する係合溝が形成されたデッキ材と、デッキ材固定具と、によって構築されるデッキ構造体であって、
デッキ材固定具が、本体と、フラップと、二つの側部とによって構成され、
本体は、根太材の最上部における上フランジの横幅寸法よりも大きい長さ寸法を有し、
フラップは、本体の両側面から、本体の長手方向と直交する方向へ向かってそれぞれ突出するように形成され、
側部は、本体の両端部の下側であって、本体の中央底部よりも低い位置にそれぞれ一つずつ形成されるとともに、本体の長手方向が根太材の上フランジの横幅方向に対して斜めに交差する向きでデッキ材固定具を根太材上に当接させた場合において、根太材の上フランジを含む最上部を跨がせることができるように構成され、かつ、デッキ材固定具を、根太材の最上部を跨ぐように根太材上に当接させた状態から、本体の長手方向が、根太材の上フランジの横幅方向と一致する姿勢となるまで回動させた場合に、根太材の上フランジの下側に入り込む係合部を下半部に有し、
根太材と直交する向きで根太材上に載置した複数のデッキ材の各側面の係合溝内に、それらのデッキ材の間に挟み込むように根太材上に装着したデッキ材固定具の各フラップをそれぞれ進入させることによって、各デッキ材を根太材上に固定したことを特徴とするデッキ構造体。
【請求項２】
各側部の上半部に、本体の長手方向と直交する方向に延在する上内側面が形成され、
デッキ材固定具が、本体の長手方向が根太材の上フランジの横幅方向と一致する姿勢にあるとき、上内側面が、根太材の上フランジの外側面に面接触し、左右両側から、根太材の上フランジを挟持するように構成されていることを特徴とする、請求項１に記載のデッキ構造体。
【請求項３】
デッキ材固定具が、本体の長手方向が根太材の上フランジの横幅方向と一致する姿勢にあるとき、各側部の下半部に形成された係合部の内側面が、根太材の外側面に当接し、左右両側から根太材を挟持するように構成されていることを特徴とする、請求項１又は請求項２に記載のデッキ構造体。
【請求項４】
本体と、フラップと、二つの側部とによって構成され、
フラップは、本体の両側面から、本体の長手方向と直交する方向へ向かってそれぞれ突出するように形成され、
側部は、本体の両端部の下側であって、本体の中央底部よりも低い位置にそれぞれ一つずつ形成されるとともに、相互に対向する各内側面が、本体の長手方向に対して所定の角度をもって延在し、かつ、各上半部に、本体の長手方向と直交する方向に延在する上内側面が形成され、かつ、下半部に、上半部の上内側面よりも内側へ突出する係合部が形成されており、
最上部において上フランジが左右の外側方向へそれぞれ一定の幅で突出するように形成された根太材の上に、当該最上部を跨ぐように当接させた状態から、本体の長手方向が、根太材の上フランジの横幅方向と一致する姿勢となるまで回動させた場合に、係合部が、根太材の上フランジの下側に入り込むように構成されていることを特徴とするデッキ材固定具。
【請求項５】
係合部の下側に、押さえ片が形成され、
本体の長手方向が、装着された根太材の上フランジの横幅方向と一致する姿勢にあるとき、上フランジの下側に入り込んだ係合部の内側面と、押さえ片が、根太材の外側面に当接し、左右両側から根太材を挟持するように構成されていることを特徴とする請求項４に記載のデッキ材固定具。
【発明の詳細な説明】
【技術分野】
【０００１】
本発明は、特徴的な形状のデッキ材固定具等を用いて構築されるデッキ構造体、及び、その構築のために使用されるデッキ材固定具に関する。
【背景技術】
【０００２】
デッキ構造体（屋外デッキや室内床等）は、通常、設置面上において、所定間隔を置いて複数本の根太材を平行に配置し、その上に、デッキ材（床材を含む）を、根太材と直交する方向に並列配置するとともに、それらのデッキ材を根太材上に固定するという方法によって構築されている。また、デッキ材を根太材上において固定する際には、様々な工夫を施した各種のデッキ材固定具が利用されている。
【先行技術文献】
【特許文献】
【０００３】
【特許文献１】特開２００８−３１７５７号公報
【特許文献２】特開２００８−２５５６０１号公報
【特許文献３】特開２００９−２４４１０号公報
【発明の概要】
【発明が解決しようとする課題】
【０００４】
デッキ材固定具を用いれば、根太材上に配置したデッキ材を、簡単な作業のみで確実に固定することができるが、従来のデッキ材固定具は、殆どのものが根太材に対してビス止めするような構成となっており、作業を行うためには、ドライバー等の工具が必要となる。このため、工具を一切使用することなく、より簡単に構築できるようなデッキ構造体、或いは、デッキ材固定具が望まれている。
【０００５】
本発明は、上記のような従来技術における問題を解決しようとするものであって、工具を一切使用することなく、根太材に対してデッキ材を極めて簡単に、かつ、十分な強度をもって固定することができるデッキ材固定具、及び、当該デッキ材固定具を用いて構築されるデッキ構造体を提供することを目的とする。
【課題を解決するための手段】
【０００６】
本発明に係るデッキ構造体は、最上部において上フランジが左右の外側方向へそれぞれ一定の幅で突出するように形成された根太材と、側面において長手方向へ連続する係合溝が形成されたデッキ材と、デッキ材固定具と、によって構築されるものであって、デッキ材固定具が、本体と、フラップと、二つの側部とによって構成され、本体は、根太材の最上部における上フランジの横幅寸法よりも大きい長さ寸法を有し、フラップは、本体の両側面から、本体の長手方向と直交する方向へ向かってそれぞれ突出するように形成され、側部は、本体の両端部の下側であって、本体の中央底部よりも低い位置にそれぞれ一つずつ形成されるとともに、本体の長手方向が根太材の上フランジの横幅方向に対して斜めに交差する向きでデッキ材固定具を根太材上に当接させた場合において、根太材の上フランジを含む最上部を跨がせることができるように構成され、かつ、デッキ材固定具を、根太材の最上部を跨ぐように根太材上に当接させた状態から、本体の長手方向が、根太材の上フランジの横幅方向と一致する姿勢となるまで回動させた場合に、根太材の上フランジの下側に入り込む係合部を下半部に有し、根太材と直交する向きで根太材上に載置した複数のデッキ材の各側面の係合溝内に、それらのデッキ材の間に挟み込むように根太材上に装着したデッキ材固定具の各フラップをそれぞれ進入させることによって、各デッキ材を根太材上に固定したことを特徴としている。
【０００７】
尚、各側部の上半部に、本体の長手方向と直交する方向に延在する上内側面が形成され、デッキ材固定具が、本体の長手方向が根太材の上フランジの横幅方向と一致する姿勢にあるとき、上内側面が、根太材の上フランジの外側面に面接触し、左右両側から、根太材の上フランジを挟持するように構成されていることが好ましく、また、デッキ材固定具が、本体の長手方向が根太材の上フランジの横幅方向と一致する姿勢にあるとき、各側部の下半部に形成された係合部の内側面が、根太材の外側面に当接し、左右両側から根太材を挟持するように構成されていることが好ましい。
【０００８】
また、本発明に係るデッキ材固定具は、本体と、フラップと、二つの側部とによって構成され、フラップは、本体の両側面から、本体の長手方向と直交する方向へ向かってそれぞれ突出するように形成され、側部は、本体の両端部の下側であって、本体の中央底部よりも低い位置にそれぞれ一つずつ形成されるとともに、相互に対向する各内側面が、本体の長手方向に対して所定の角度をもって延在し、かつ、各上半部に、本体の長手方向と直交する方向に延在する上内側面が形成され、かつ、下半部に、上半部の上内側面よりも内側へ突出する係合部が形成されており、最上部において上フランジが左右の外側方向へそれぞれ一定の幅で突出するように形成された根太材の上に、当該最上部を跨ぐように当接させた状態から、本体の長手方向が、根太材の上フランジの横幅方向と一致する姿勢となるまで回動させた場合に、係合部が、根太材の上フランジの下側に入り込むように構成されていることを特徴としている。
【０００９】
尚、係合部の下側に、押さえ片が形成され、本体の長手方向が、装着された根太材の上フランジの横幅方向と一致する姿勢にあるとき、上フランジの下側に入り込んだ係合部の内側面と、押さえ片が、根太材の外側面に当接し、左右両側から根太材を挟持するように構成されていることが好ましい。
【発明の効果】
【００１０】
本発明に係るデッキ構造体は、工具を一切使用することなく、根太材に対してデッキ材を極めて簡単に、かつ、十分な強度をもって固定することができる。
【図面の簡単な説明】
【００１１】
【図１】図１は、本発明に係るデッキ材固定具１の斜視図である。
【図２】図２は、図１のデッキ材固定具１の正面図である。
【図３】図３は、図１のデッキ材固定具１の平面図である。
【図４】図４は、図１のデッキ材固定具１の側面図である。
【図５】図５は、図１のデッキ材固定具１とともに使用する根太材５の端面図である。
【図６】図６は、図１のデッキ材固定具１とともに使用するデッキ材６の部分的な斜視図である。
【図７】図７は、図１のデッキ材固定具１と図５の根太材５の関係を示す平面図である。
【図８】図８は、図５の根太材５に図１のデッキ材固定具１を装着した状態を示す図である。
【図９】図９は、図１のデッキ材固定具１、図５の根太材５、及び、図６のデッキ材６を用いてデッキ構造体を構築する方法の説明図である。
【発明を実施するための形態】
【００１２】
以下、添付図面に沿って本発明の実施形態について説明する。図１は、本発明に係るデッキ材固定具１の斜視図、図２は正面図、図３は平面図、図４は側面図である。図示されているように、このデッキ材固定具１は、本体２と、二組のフラップ３と、二つの側部４とによって構成されている。
【００１３】
このデッキ材固定具１は、図５に示すような根太材５（最上部５４において、上フランジ５２，５２が左右の外側方向へそれぞれ一定の幅で突出するように形成された金属製の構造材）、及び、図６に示すようなデッキ材６（側面の中間高さにおいて、長手方向へ連続する係合溝６１が形成されているデッキ材又は屋内用の床材）を使用することによってデッキ構造体（屋内における床構造体を含む）を構築しようとする場合において、根太材５上に配置したデッキ材６を、工具を用いることなく、また、ビス、ボルト、ナットを用いることなく、極めて簡単に、かつ、しっかりと根太材５に対して固定することができる。
【００１４】
このデッキ材固定具１の具体的な構成について詳しく説明すると、本体２は、図５に示す根太材５（このデッキ材固定具１の適用対象となる根太材５）の最上部における上フランジ５２の横幅寸法（一方側の上フランジ５２の側縁から、反対側の上フランジ５２の側縁までの寸法）よりも大きい長さ寸法を有している。また、本体２の両側面には、水平方向外側（本体２の長手方向と直交する方向）へ向かって突出するフラップ３，３がそれぞれ形成されているほか、本体２の両端部（長手方向についての両端部）には、側部４，４が、本体２の中央底部２ａ（図２参照）よりも低い位置にそれぞれ形成されている。尚、これらの二つの側部４，４は、同一の形状を呈し、本体２の中心部を挟んで点対称となる位置（１８０°回転した位置）に形成されている。
【００１５】
このデッキ材固定具１は、図７に示すように、デッキ材固定具１を、本体２の長手方向Ｌが、根太材５の上フランジ５２の横幅方向Ｗ（根太材５の長手方向と直交する方向）に対して斜めに（本実施形態においては２５°の角度をもって）交差する向きで根太材５上に当接させた場合、側部４，４が、根太材５の上フランジ５２と干渉せず、根太材５の上フランジ５２を含む最上部５４を跨がせることができるように構成されている。
【００１６】
つまり、側部４はいずれも、相互に対向する内側面４４が、本体２の長手方向Ｌに対して所定の角度（本実施形態においては６５°）をもって延在し、かつ、一方の側部４の内側面４４と、他方の側部４の内側面４４との間に、根太材５の最上部５４を嵌合させることが可能な空間が確保されている。
【００１７】
また、側部４は、上半部４１（デッキ材固定具１を図５に示す根太材５に装着した場合において、上フランジ５２の高さ範囲に相当する部分）に、本体２の長手方向Ｌと直交する方向に延在する上内側面４５が形成されており、下半部４２（デッキ材固定具１を図５に示す根太材５に装着した場合において、上フランジ５２よりも下方となる部分）には、上半部４１の上内側面４５よりも内側へ突出する係合部４６が形成されている。更に、この係合部４６の下側には、押さえ片４３が形成されている。
【００１８】
そして、デッキ材固定具１を、図７に示すように、根太材５の最上部５４を跨ぐように根太材５上に当接させた状態から時計回り方向へ、図７において破線で示す位置まで（本体２の長手方向Ｌが、根太材５の上フランジ５２の横幅方向Ｗと一致する姿勢となるまで）回動させると、図８に示すように、下半部４２の係合部４６が上フランジ５２の下側に入り込んだ状態となり、この姿勢が維持される限り、デッキ材固定具１は、根太材５上においてしっかりと固定されることになる。
【００１９】
尚、本実施形態のデッキ材固定具１においては、上述の通り、デッキ材固定具１を、本体２の長手方向Ｌが、根太材５の上フランジ５２の横幅方向Ｗに対して斜めに交差する向きで根太材５上に当接させた場合に、根太材５の最上部５４を跨がせることができるように構成されており、また、この「デッキ材固定具１において最上部５４を跨がせることが可能な、本体２の長手方向Ｌと根太材５の上フランジ５２の横幅方向Ｗとの交差角度（設定交差角度）」は、２５°となっているが、必ずしもこの角度には限定されず、概ね１０〜４５°の範囲内で任意に設定することができる。
【００２０】
但し、設定交差角度が２０°未満であると、本体２の長手方向Ｌが根太材５の上フランジ５２の横幅方向Ｗと一致する姿勢となるまでデッキ材固定具１を回動させた場合において、デッキ材固定具１の側部４と根太材５との間で、十分な接触面積（グリップ面積）を確保することが難しくなる可能性があり、一方、３０°を超えると、接触面積を十分に確保することができるが、作業性（デッキ材固定具１を回動させてデッキ材６の係合溝６１にフラップ３を差し込む作業の円滑性）が低下する可能性があるため、２０〜３０°の範囲内で設定することが好ましい。
【００２１】
ここで、図１〜４に示すデッキ材固定具１、図５に示す根太材５、及び、図６に示すデッキ材６を用いて、デッキ構造体（屋内における床構造体を含む）を構築する方法の一例について簡単に説明する。まず、設置面上に複数の束材を、所定間隔を置いてマトリックス状に配置し、図５に示す根太材５を、それらの束材の上に所定間隔を置いて平行に載置し、固定する。
【００２２】
次に、図９に示すように、根太材５上にデッキ材６を、根太材５と直交する向きで載置し、更に、デッキ材固定具１を、根太材５上におけるデッキ材６の近傍の位置に取り付ける。尚、デッキ材固定具１を根太材５上に取り付ける際は、図７に示したように、まず、本体２の長手方向Ｌが、根太材５の上フランジ５２の横幅方向Ｗに対して所定の角度（設定交差角度）となるようにしてデッキ材固定具１を根太材５上に当接させ、根太材５の最上部５４を跨がせるような状態とした後、所定の方向へ回動させて、図８に示したように、下半部４２の係合部４６が上フランジ５２の下側に入り込んだ状態とする。
【００２３】
続いて、デッキ材固定具１を、根太材５上に載置したデッキ材６の側面に向かってスライドさせていき、デッキ材６側のフラップ３をデッキ材６の係合溝６１内に進入させるとともに、本体２をデッキ材６の側面に当接させて、デッキ材６を根太材５上において固定する。そして、次のデッキ材６’を、固定済みのデッキ材６と平行になるように根太材５上に載置し、固定済みのデッキ６、及び、これを固定しているデッキ材固定具１に向かってスライドさせていき、デッキ材固定具１における反対側のフラップ３を係合溝６１’内に進入させて、デッキ材６と、これに隣接するデッキ材６’との間に、デッキ材固定具１を挟み込むような状態とする。
【００２４】
尚、このデッキ材固定具１は、側部４の上半部４１の上内側面４５が、本体２の長手方向Ｌと直交する方向に延在しており、本体２の長手方向Ｌが、根太材５の上フランジ５２の横幅方向Ｗと一致する姿勢（ホールド姿勢）にあるとき、根太材５の上フランジ５２の外側面に当接（面接触）し、左右両側から上フランジ５２，５２をしっかりと挟持するとともに、上フランジ５２の下側に入り込んだ係合部４６の内側面と、押さえ片４３が、根太材５の外側面５３に当接し、左右両側から根太材５をしっかりと挟持する構造となっている。
【００２５】
従って、デッキ材固定具１が隣接する二つのデッキ材６，６’に挟み込まれることにより、上述の「ホールド姿勢」が維持され、その結果、根太材５の長手方向への位置ずれを生じさせることなく、十分な強度をもって、デッキ材６，６’を根太材５上に固定することができる。
【００２６】
また、本実施形態のデッキ材固定具１においては、フラップ３が、本体２の各側面においてそれぞれ三分割されており、フラップ３の各部位における厚さ寸法は、デッキ材６の係合溝６１の高さ寸法（高さ方向についての離間寸法）よりも僅かに小さいが、図２及び図８に示すように、部位によって高さが変化する形状（波打つような形状）となっており、最も低い部位から最も高い部位までの高さ寸法が、デッキ材６の係合溝６１の高さ寸法よりも僅かに大きくなるように、かつ、最も低い部位の位置が、根太材５上に載置した状態のデッキ材６における係合溝６１の下顎の位置よりも僅かに下方となるような構成となっている。
【００２７】
更に、このデッキ材固定具１は、プラスチック製であり、ある程度の可撓性を有しているため、フラップ３を、係合溝６１に臨ませた状態から、係合溝６１内へ向かって押し込むと、フラップ３が変形して係合溝６１内へ進入し、フラップ３の最も高い部位が係合溝６１の上顎に、また、最も低い部位が係合溝６１の下顎に密着するとともに、変形したフラップ３の復元力によって、デッキ材６が根太材５に押し付けられて、根太材５上におけるデッキ材６の「がたつき」が防止されるほか、デッキ材固定具１が上方へ持ち上げられて、両側部４，４の係合部４６，４６が、根太材５の上フランジ５２，５２に押し付けられるかたちとなり、接触面における摩擦力（グリップ力）が増大して、根太材５に対するデッキ材固定具１の位置ずれが防止される。
【００２８】
以上に説明したように、本発明に係るデッキ材固定具１は、最上部５４において上フランジ５２，５２が左右の外側方向へそれぞれ一定の幅で突出するように形成された根太材５（図５参照）、及び、側面の中間高さにおいて長手方向へ連続する係合溝６１が形成されたデッキ材６（図６参照）とともに使用することにより、根太材５上に配置したデッキ材６を、工具を用いることなく、また、ビス、ボルト、ナットを用いることなく、かつ、しっかりと根太材５に対して固定することができ、極めて簡単にデッキ構造体を構築することができる。
【符号の説明】
【００２９】
１：デッキ材固定具、
２：本体、
２ａ：中央底部、
３：フラップ、
４：側部、
５：根太材、
６，６’：デッキ材、
４１：上半部、
４２：下半部、
４３：押さえ片、
４４：内側面、
４５：上内側面、
４６：係合部、
５２：上フランジ、
５３：外側面、
５４：最上部、
６１：係合溝
【図１】
2014055424.tif 000003
【図２】
2014055424.tif 000004
【図３】
2014055424.tif 000005
【図４】
2014055424.tif 000006
【図５】
2014055424.tif 000007
【図６】
2014055424.tif 000008
【図７】
2014055424.tif 000009
【図８】
2014055424.tif 000010
【図９】
2014055424.tif 000011